(57)【特許請求の範囲】
【請求項１】
複数の細線同軸ケーブル（２）をコネクタ（１）に接続する方法において、
複数の細線同軸ケーブル（２）のそれぞれの端部の外被（１８）およびシールド（１９）を除去して芯線（２０）を覆った絶縁被覆（２１）を露出させ、
一側面に複数の収容溝（１４）が横並びに形成されたスペーサホルダ（４）の前記収容溝（１４）に沿ってそれぞれの絶縁被覆（２１）で覆われた芯線（２０）を収容し、
絶縁ハウジング（３）内に設けられる端子（６）の一端部側は、対向して延びる接続用コンタクト片（１１）と受け片（１２）とを備え、受け片（１２）は絶縁ハウジング（３）の内壁に接して装着され、接続用コンタクト片（１１）は絶縁ハウジング（３）の内壁との間に隙間が形成された片持梁状に延びるスプリングコンタクトで構成されると共に前記接続用コンタクト片（１１）の受け片（１２）に対向する一側縁に刺突凸部（１３）が設けられており、
スペーサホルダ（４）に収容されるとともに絶縁被覆（２１）で覆われた複数の芯線（２０）を、コネクタ（１）の絶縁ハウジング（３）内の接続用コンタクト片（１１）と受け片（１２）との間に、スペーサホルダ（４）と共に挿入し、
接続用コンタクト片（１１）と受け片（１２）との間にアクチュエータ（５）を差し込んで、各絶縁被覆（２１）で覆われた芯線（２０）をアクチュエータ（５）の加圧片（１５）によりスペーサホルダ（４）を介して端子（６）の刺突凸部（１３）へ押し付けることにより、刺突凸部（１３）を絶縁被覆（２１）へ喰い込ませて、刺突凸部（１３）と芯線（２０）を電気的に導通させることを特徴とする細線同軸ケーブルとコネクタの接続方法。
【請求項２】
複数の細線同軸ケーブル（２）のシールド部分を横断するようにグランドバー（２２）を取付け、グランドバー（２２）はコネクタ（１）の絶縁ハウジング（３）に設けたシールドカバー（７）と係合させる請求項１に記載の細線同軸ケーブルとコネクタの接続方法。
【請求項３】
複数の細線同軸ケーブル（２）の絶縁被覆（２１）で覆われた芯線（２０）を、スペーサホルダ（４）の並列ピッチと略同一のピッチで並列してラミネータ（２３）で固定し、スペーサホルダ（４）に収容された複数の芯線（２０）をコネクタ（１）の絶縁ハウジング（３）内にスペーサホルダ（４）と共に挿入する段階で、ラミネータ（２３）で固定した部分を切断除去する請求項１又は２に記載の細線同軸ケーブルとコネクタの接続方法。
【請求項４】
複数の細線同軸ケーブル（２）を接続できるようにしたコネクタ（１）において、
絶縁ハウジング（３）と、この絶縁ハウジング（３）に所定のピッチで横並びに装着された複数の端子（６）と、スペーサホルダ（４）と、アクチュエータ（５）とを備えており、
絶縁ハウジング（３）には、細線同軸ケーブル（２）の為の挿入空洞（１０）が形成され、
各端子（６）には、前記挿入空洞（１０）に延びる接続用コンタクト片及び前記接続用コンタクト片に対向して延びる受け片（１２）が設けられ、受け片（１２）は絶縁ハウジング（３）の内壁に接して装着され、接続用コンタクト片（１１）は絶縁ハウジング（３）の内壁との間に隙間が形成された片持梁状に延びるスプリングコンタクトで構成されると共に、各接続用コンタクト片（１１）の受け片（１２）に対向する一側縁に、細線同軸ケーブル（２）の芯線（２０）を覆う絶縁被覆（２１）に貫入可能とした刺突凸部（１３）が形成されており、
接続用コンタクト片（１１）と受け片（１２）との間に挿入されるスペーサホルダ（４）には、前記接続用コンタクト片（１１）に沿って１対１の関係で対向可能の収容溝（１４）が並列して形成されており、そして、
接続用コンタクト片（１１）と受け片（１２）との間に挿入される前記アクチュエータ（５）には、絶縁被覆（２１）で覆われた芯線（２０）が収納されたスペーサホルダ（４）を接続用コンタクト片（１１）側へ押し付ける為の加圧片（１５）が設けてあることを特徴とする細線同軸ケーブル用コネクタ。
【請求項５】
絶縁ハウジング（３）は、外面の少なくとも一部を覆うシールドカバー（７）が更に取付けられており、このシールドカバー（７）の一部が挿入空洞（１０）内に延長されて、細線同軸ケーブル（２）のシールド（１９）に取付けたグランドバー（２２）と接触可能としてある請求項４に記載の細線同軸ケーブル用コネクタ。
【請求項６】
スペーサホルダ（４）は、収容溝（１４）の開口縁に沿って、収容溝（１４）に収容される絶縁被覆（２１）で覆われた芯線（２０）と係合させる為の仮止め片（２４）が設けてある請求項４又は５に記載の細線同軸ケーブル用コネクタ。
【請求項７】
アクチュエータ（５）の加圧片（１５）は、端子（６）の接続用コンタクト片（１１）に沿って挿入された平型柔軟ケーブル又は単独の電線を直接接続用コンタクト片（１１）に押し付け得るように形成されている請求項４に記載の細線同軸ケーブル用コネクタ。
【発明の詳細な説明】
【０００１】
【発明の属する技術分野】
この発明は、複数の細線同軸ケーブルとコネクタの接続方法と、その方法で使用するコネクタに関する。
【０００２】
【従来の技術】
従来、細線同軸ケーブルの芯線とコネクタの端子を接続する方法として、細線同軸ケーブルの外被、シールドおよび絶縁被覆を切除して芯線を露出させ、芯線を端子に直接半田付けなどによって接続する方法が知られている。
【０００３】
端子にスリットを挟んで切込刃を対向させた圧接部を形成し、圧接部のスリットへ絶縁被覆で覆われた芯線を押し込んで、切込刃が絶縁被覆に切り込んで芯線まで達するようにした接続方法も知られている（例えば、特公平４−７９１１２号公報参照）。
【０００４】
更に、端子に刺突凸部を形成し、この刺突凸部を絶縁被覆に押し付けて芯線まで貫入させるようにした接続方法も知られている（例えば、特公昭６２−２７５０７号公報参照）。
【０００５】
【発明が解決しようとする課題】
前記の細線同軸ケーブルの外被、シールドおよび絶縁被覆まで切除して接続する方法は、接続作業の工数が莫大となることが避けられないのは言うまでもなかった。また、細線同軸ケーブルでは芯線が極めて細い為に、芯線を切断したり傷付けてしまう恐れもあり、この方法は避けなければならなかった。
【０００６】
端子の圧接部に絶縁被覆で覆われた芯線を押し込むようにした接続方法では、端子の幅が大きくなることから、複数の細線同軸ケーブルを狭いピッチで並列することができないことは勿論、コネクタの横幅も大きくなる問題点があった。
【０００７】
端子に設けた刺突凸部を絶縁被覆に貫入させるようにした接続方法では、複数の細線同軸ケーブルの１本毎に刺突凸部を押し付けて貫入させていたので、作業が大変であると共に、各細線同軸ケーブル毎に接続の信頼性が変化する問題点があった。
【０００８】
この発明は斯かる問題点に鑑みてなされたもので、複数の細線同軸ケーブルを簡単に接続できるようにした接続方法とコネクタを提供することを目的としている。また、複数の細線同軸ケーブルが狭いピッチで並列できるようにした接続方法とコネクタを提供することを別の目的としている。
【０００９】
【課題を解決するための手段】
前記の目的のもとになされたこの発明は、スペーサホルダの収容溝に絶縁被覆で覆われた芯線を収容して、これをコネクタの絶縁ハウジングに挿入し、絶縁被覆で覆われた芯線が端子に設けた刺突凸部と対向するようにしている。
【００１０】
即ちこの発明は、複数の細線同軸ケーブルをコネクタに接続する方法において、複数の細線同軸ケーブルのそれぞれの端部の外被およびシールドを除去して芯線を覆った絶縁被覆を露出させ、一側面に複数の収容溝が横並びに形成されたスペーサホルダの前記収容溝に沿ってそれぞれの絶縁被覆で覆われた芯線を収容し、絶縁ハウジング内に設けられる端子の一端部側は、対向して延びる接続用コンタクト片と受け片とを備え、受け片は絶縁ハウジングの内壁に接して装着され、接続用コンタクト片は絶縁ハウジングの内壁との間に隙間が形成された片持梁状に延びるスプリングコンタクトで構成されると共に前記接続用コンタクト片の受け片に対向する一側縁に刺突凸部が設けられており、スペーサホルダに収容されるとともに絶縁被覆で覆われた複数の芯線を、コネクタの絶縁ハウジング内の接続用コンタクト片と受け片との間に、スペーサホルダと共に挿入し、接続用コンタクト片と受け片との間にアクチュエータを差し込んで、各絶縁被覆で覆われた芯線をアクチュエータの加圧片によりスペーサホルダを介して端子の刺突凸部へ押し付けることにより、刺突凸部を絶縁被覆へ喰い込ませて、刺突凸部と芯線を電気的に導通させることを特徴とする細線同軸ケーブルとコネクタの接続方法である。
【００１１】
また、この発明のコネクタは、絶縁ハウジングと、この絶縁ハウジングに所定のピッチで横並びに装着された複数の端子と、スペーサホルダと、アクチュエータとを備えており、絶縁ハウジングには、細線同軸ケーブルの為の挿入空洞が形成され、各端子には、前記挿入空洞に延びる接続用コンタクト片及び前記接続用コンタクト片に対向して延びる受け片が設けられ、受け片は絶縁ハウジングの内壁に接して装着され、接続用コンタクト片は絶縁ハウジングの内壁との間に隙間が形成された片持梁状に延びるスプリングコンタクトで構成されると共に、各接続用コンタクト片の受け片に対向する一側縁に、細線同軸ケーブルの芯線を覆う絶縁被覆に貫入可能とした刺突凸部が形成されており、接続用コンタクト片と受け片との間に挿入されるスペーサホルダには、前記接続用コンタクト片に沿って１対１の関係で対向可能の収容溝が並列して形成されており、そして、接続用コンタクト片と受け片との間に挿入される前記アクチュエータには、絶縁被覆で覆われた芯線が収納されたスペーサホルダを接続用コンタクト片側へ押し付ける為の加圧片が設けてあることを特徴とする細線同軸ケーブル用コネクタである。
【００１２】
【作用】
この発明の細線同軸ケーブルとコネクタの接続方法およびコネクタによれば、細線同軸ケーブルの外被とシールドのみを切除して接続することができる。従って、接続の工数を減らし、簡単に接続することができ、また、芯線を切断したり、傷付けたりすることも避けることができる。
【００１３】
また、複数の細線同軸ケーブルをスペーサホルダの収容溝に収容して、一括して接続するので、この点でも接続作業を簡単にすることができ、そして、各細線同軸ケーブルと端子の接続条件を略均一とし、しかも、信頼性を高くすることができる。
【００１４】
細線同軸ケーブルと接続する端子は、絶縁被覆に喰い込む刺突凸部を設ける構成とできるので、幅狭にでき、狭いピッチで並列させることができる。この結果、複数の細線同軸ケーブルを、狭いピッチで並列させて接続ができると共に、コネクタの小型化も可能である。
【００１５】
【発明の実施の形態】
以下、この発明の実施形態を添付の図を参照して説明する。
【００１６】
図１が、コネクタ１と細線同軸ケーブル２の接続状態を示している。コネクタ１は、図２に分解して示したように、絶縁ハウジング３と、スペーサホルダ４と、アクチュエータ５を備えており、絶縁ハウジング３には、薄金属板を図１に示した如くの形状に打ち抜いた端子６が所定のピッチで横並びに複数装着されている。絶縁ハウジング３の外側には、図３に示したような形状に成形されたシールドカバー７が取付けられて外面が覆われている。
【００１７】
端子６の形状を説明すると、絶縁ハウジング３の嵌合端（図１の左側）に延びる相手側コネクタの端子に対する係合用コンタクト片８と装着片９で略Ｕ字状とされた前端部と、絶縁ハウジング３の後端に開口して形成された挿入空洞１０に延びる接続用コンタクト片１１と受け片１２で略Ｕ字状とされた後端部を有している。装着片９と受け片１２は、それぞれ、絶縁ハウジング３の内壁に接して装着されるようにされている。一方、係合用コンタクト片８と接続用コンタクト片１１は、それぞれ、片持梁状に延びて絶縁ハウジング３の内壁との間に間隙を形成し、スプリングコンタクトを構成できるようにされている。前記接続用コンタクト片１１は、更に、受け片１２と対向する側縁に刺突凸部１３が設けられている。
【００１８】
スペーサホルダ４は、絶縁ハウジング３の後端側に開口して形成された挿入空洞１０内に、端子６の接続用コンタクト片１１に沿って挿入できるように絶縁性樹脂を板状に成形した部材である。接続用コンタクト片１１と対向する一側面に、断面を半円状とした収容溝１４が複数、端子６と同一のピッチで横並びに並列して形成されており、接続用コンタクト片１１と平行となって対向できるようにされている。
【００１９】
アクチュエータ５も絶縁性樹脂を成形した部材であって、絶縁ハウジング３の挿入空洞１０内で、スペーサホルダ４の収容溝１４が形成されていない平坦な他側面に沿って挿入できるようにした加圧片１５と、この加圧片１５の両側に設けられたラッチ係合片１６とを備えている。ラッチ係合片１６は挿入空洞１０内で絶縁ハウジング３の内壁に係脱可能に係合できるようになっている。
【００２０】
前記スペーサホルダ４とアクチュエータ５の加圧片１５は、順次、端子６の接続用コンタクト片１１と受け片１２の間に挿入されるようにしたもので、加圧片１５が受け片１２に沿って挿入されてスペーサホルダ４と重なった状態になると、スペーサホルダ４が接続用コンタクト片１１側に押しやられるようになっている。
【００２１】
図４は、この実施形態のコネクタ１に複数の細線同軸ケーブル２が接続された状態の外観を示したものである。複数の細線同軸ケーブル２はフラットケーブル化されている。以下、コネクタ１と複数の細線同軸ケーブル２の接続方法について、図５乃至図９を参照して詳述する。
【００２２】
図５は、予め加工されている細線同軸ケーブル２の端部の図である。予め加工された複数の細線同軸ケーブル２のそれぞれは、端部の外被１８が切除されていると共に、シールド１９も残った外被１８の先に若干残して切除されて、芯線２０（図１参照）が絶縁被覆２１で覆われた状態で露出させてある。そして、横並びで並列させた細線同軸ケーブル２の、外被１８の先に露出したシールド１９の部分を横断するように上下からグランドバー２２で挟んで、半田などによって固定してあり、先端はラミネータ２３が接着されて固定されている。グランドバー２２とラミネータ２３の間で、複数の芯線２０が前記スペーサホルダ４の収容溝１４と同一のピッチで略平行となって保持されている。露出させた絶縁被覆２１で覆われた芯線２０の部分の長さは、前記スペーサホルダ４の収容溝１４の長さよりは長くしてある。
【００２３】
図６乃至図９で示したスペーサホルダ４は、図２で示したものと若干相違しており、板状としたスペーサホルダ４の後端の両側に互いに対向するようにして、鉤状の係止片１７が延長して設けてある。板状部分の一側面に収容溝１４を並列して設けた基本的部分は図２のものと同一である。そして、半円状の収容溝１４の一方の開口縁の一部に沿って仮止め片２４が突部様に設けてある。この仮止め片２４は、図１０に鎖線で示したように、収容溝１４内に変形させることを可能にしたもので、収容溝１４内の絶縁被覆２１で覆われた芯線２０を仮止めすることが可能である。図１１に示したように、仮止め片２４を収容溝１４の両方の開口縁に沿って設けても良い。
【００２４】
先ず、予め加工されて並列状態とされた細線同軸ケーブル２の絶縁被覆２１で覆われた芯線２０の露出した部分を、図７に示したように、スペーサホルダ４の収容溝１４に沿って１本ずつ収容する。前記係止片１７は、このとき、グランドバー２２に係合するようにしたものである。
【００２５】
次に、収容溝１４に収容した絶縁被覆２１で覆われた芯線２０を仮止め片２４を変形させて仮止めすると共に、スペーサホルダ４より外部に延びた先端部分を、スペーサホルダ４の前縁に沿って切断除去する。
【００２６】
そして、このスペーサホルダ４に収容された複数の細線同軸ケーブル２の芯線２０を、スペーサホルダ４と共に、絶縁ハウジング３の挿入空洞１０内に挿入する。スペーサホルダ４の収容溝１４に収容された絶縁被覆２１で覆われた芯線２０を、端子６の接続用コンタクト片１１側にして挿入する。
【００２７】
前記シールドカバー７には、絶縁ハウジング３の挿入空洞１０内に回り込む係合部分２５が設けられている。また、この係合部分２５には、係合突部２６が切り起こしにより形成されている。細線同軸ケーブル２をスペーサホルダ４と共に挿入すると、細線同軸ケーブル２のシールド１９を横断するようにして固定したグランドバー２２が、この係合部分２５と接触すると共に、係合突部２６と係合して抜け出しが防止されるようにしてある。
【００２８】
続いて、アクチュエータ５の加圧片１５を、絶縁ハウジング３の挿入空洞１０に、スペーサホルダ４に沿うようにして挿入する。この状態を示したのが図１および図９である。アクチュエータ５は、ラッチ係合片１６と絶縁ハウジング３の係合によって抜け出しが阻止された状態となる。
【００２９】
アクチュエータ５の加圧片１５を挿入すると、スペーサホルダ４が接続用コンタクト片１１側に押しやられる為に、収容溝１４に収容された芯線２０も接続用コンタクト片１１側に押しやられることになる。この結果、接続用コンタクト片１１に形成した刺突凸部１３が芯線２０を覆った絶縁被覆２１に喰い込んで芯線２０まで貫入することになり、刺突凸部１３と芯線２０が電気的に導通し、複数の細線同軸ケーブル２とコネクタ１の接続を完成することができる。
【００３０】
このように、細線同軸ケーブル２は、外被１８とシールド１９を切除するのみで絶縁被覆２１は残したまま接続するので、細線同軸ケーブル２の加工が容易で、接続作業の工数を減らし能率向上を図ることができる。また、芯線２０を露出させないので、加工中に芯線２０を切断したり、傷付けることも避けることができる。
【００３１】
そして、複数の細線同軸ケーブル２は、スペーサホルダ４の収容溝１４に収容して一括接続するので、コネクタ１に対する接続作業も簡単に、しかも、能率良く行うことができる。各細線同軸ケーブル２の芯線２０と、端子６の刺突凸部１３の電気的導通条件も略均一にできるので、全ての細線同軸ケーブル２を高い信頼性のもとで確実に接続することができる。
【００３２】
端子６は、接続用コンタクト片１１の一側縁に刺突凸部１３を受け片１２に向って突出させた形状で、この端子６を打ち抜く薄金属板の板厚で形成されるごく狭い幅のものとできるので、コネクタ１内では狭いピッチで横並びに並列させることができる。従って、コネクタ１の幅方向の寸法の小型化が可能である。また、複数の細線同軸ケーブル２も狭いピッチで並列させて接続することが可能である。
【００３３】
尚、この実施形態のコネクタ１は、細線同軸ケーブル２が前記のようにして接続できる他、平型柔軟ケーブル（一般に、ＦＰＣ、ＦＦＣなどと呼ばれているケーブルである。）や、１本毎に独立しているディスクリートな電線などの接続にも対応することができるようにされている。これらのケーブル、電線を接続する場合には、前記スペーサホルダ４は取り除き、ケーブル、電線の端部を直接挿入空洞１０に端子６の接続用コンタクト片１１に沿って対向するように挿入する。そして、アクチュエータ５の加圧片１５でケーブル、電線を直接接続用コンタクト片１１に押し付けて、刺突凸部１３が絶縁被覆に喰い込むようにする。
【００３４】
図１２、１３は、上記で説明したコネクタ１と嵌合して接続できるように構成された、相手側コネクタ３１を示したものである。絶縁ハウジング３２に設けたプラグ部３３に、端子３４が横並びで並列させて装着されている。そして、絶縁ハウジング３２の外側にシールドカバー３５が取付けられて、前記プラグ部３３が覆われている。
【００３５】
前記コネクタ１の前端（図１の左側）は、この相手側コネクタ３１の嵌合部３６に嵌合できるようにされたもので、嵌合によって、相手側コネクタ３１のプラグ部３３と、コネクタ１に装着した端子６の係合用コンタクト片８と装着片９の部分が互いに嵌合して、係合用コンタクト片８と端子３４が係合し、端子６、３４が導通するようになっている。また、コネクタ１のシールドカバー７は、外壁面が相手側コネクタ３１のシールドカバー３５の内壁面に摺接して、互いに導通するようになっている。
【００３６】
前記実施形態のコネクタ１は、相手側コネクタ３１との嵌合方向を水平方向とした水平タイプのものであるが、図１４に示したように、嵌合方向を垂直方向とした垂直タイプのコネクタ５１として構成することもできる。コネクタ５１を構成している各部材には、前記実施形態の構成部材に付した符号に「５０」を加えた符号を付して対応させることで、詳細な説明は省略する。
【００３７】
この垂直タイプのコネクタ５１においても、複数の細線同軸ケーブル５２の接続方法は同一であり、能率良く簡単に接続でき、高い接続の信頼性を得ることもできる。また、狭いピッチで細線同軸ケーブル５２および端子５６を並列させることができ、コネクタ５１の幅方向の寸法の小型化が可能である。
【００３８】
【発明の効果】
以上に説明の通り、この発明によれば、複数の細線同軸ケーブルは芯線を露出させることなく絶縁被覆で覆われた状態で接続するようにし、しかも複数の細線同軸ケーブルを一括して接続するようにしたので、接続作業を簡単にすることができる。また、絶縁被覆で覆われた芯線とコネクタの端子に設けた刺突凸部を対向させて、刺突凸部が絶縁被覆に喰い込んで芯線まで達して電気的導通を図るようにしたので、複数の細線同軸ケーブルを狭いピッチで並列させることができると共に、コネクタの幅方向の寸法の小型化を図ることができる。
【図面の簡単な説明】
【図１】  この発明の実施形態のコネクタの拡大断面図である。
【図２】  同じく実施形態のコネクタの、シールドカバーを除いて分解した斜視図である。
【図３】  同じく実施形態のコネクタのシールドカバーの斜視図である。
【図４】  同じく実施形態のコネクタの斜視図である。
【図５】  この発明の実施形態で接続した複数の細線同軸ケーブルの、端部が加工された状態の斜視図である。
【図６】  この発明の実施形態のコネクタのスペーサホルダの斜視図である。
【図７】  スペーサホルダの収容溝に複数の細線同軸ケーブルを収容した直後の状態の斜視図である。
【図８】  スペーサホルダに収容された細線同軸ケーブルの先端部分を切断除去した状態の斜視図である。
【図９】  細線同軸ケーブルを収容したスペーサホルダとアクチュエータを絶縁ハウジングの挿入空洞に挿入した状態の拡大断面図である。
【図１０】  スペーサホルダの収容溝の部分を拡大した断面図である。
【図１１】  別の実施形態のスペーサホルダの収容溝の部分を拡大した断面図である。
【図１２】  実施形態のコネクタと嵌合する相手側コネクタの斜視図である。
【図１３】  同じく相手側コネクタの分解斜視図である。
【図１４】  垂直タイプで実施したコネクタとその相手側コネクタの拡大断面図である。
【符号の説明】
１、５１          コネクタ
２、５２          細線同軸ケーブル
３、５３          絶縁ハウジング
４、５４          スペーサホルダ
５、５５          アクチュエータ
６、５６          端子
７、５７          シールドカバー
１０、６０        挿入空洞
１１、６１        接続用コンタクト片
１３、６３        刺突凸部
１４              収容溝
１５、６５        加圧片
１８、６８        外被
１９、６９        シールド
２０、７０        芯線
２１、７１        絶縁被覆
２２、７２        グランドバー
２３              ラミネータ
２４              仮止め片
【図１】
0004269031.tif 000002
【図２】
0004269031.tif 000003
【図３】
0004269031.tif 000004
【図４】
0004269031.tif 000005
【図５】
0004269031.tif 000006
【図６】
0004269031.tif 000007
【図７】
0004269031.tif 000008
【図８】
0004269031.tif 000009
【図９】
0004269031.tif 000010
【図１０】
0004269031.tif 000011
【図１１】
0004269031.tif 000012
【図１２】
0004269031.tif 000013
【図１３】
0004269031.tif 000014
【図１４】
0004269031.tif 000015